(57)【要約】【課題】表示機器が表示する画像情報を、人物を示すキーワードに応じて切り替えることができる操作支援装置を提供する。【解決手段】操作支援装置２は、表示機器８の操作を支援する。操作支援装置２は、音声認識部２２と、コマンド生成部２６とを備える。音声認識部２２は、音声データをテキスト情報に変換する。コマンド生成部２６は、表示機器８が備える入力端子８１〜８３のうちの少なくとも１つを活性化させる切替コマンドを生成する。コマンド生成部２６は、人物を示すキーワードがテキスト情報に含まれている場合、表示機器８が備える入力端子８１〜８３のうちから、人物に関連付けられた入力端子を特定する。コマンド生成部２６は、特定した入力端子を活性化させる切替コマンドを生成する。【選択図】図２
2019207640.tif 000002
【特許請求の範囲】
【請求項１】
表示機器の操作を支援する操作支援装置であって、
音声データをテキスト情報に変換する音声認識部と、
前記表示機器が備える入力端子のうちの少なくとも１つを活性化させる切替コマンドを生成するコマンド生成部と
を備え、
前記コマンド生成部は、
人物を示すキーワードが前記テキスト情報に含まれている場合、前記表示機器が備える前記入力端子のうちから、前記人物に関連付けられた入力端子を特定し、
特定した前記入力端子を活性化させる前記切替コマンドを生成する、操作支援装置。
【請求項２】
前記人物と、前記表示機器が備える入力端子とを関連付ける管理テーブルを記憶する記憶部を更に備え、
前記コマンド生成部は、前記管理テーブルを参照して、前記人物に関連付けられた入力端子を特定する、請求項１に記載の操作支援装置。
【請求項３】
前記管理テーブルは、端末の所有者を示す第１識別子と、前記表示機器が備える入力端子とを関連付け、
前記第１識別子を示すキーワードが前記テキスト情報に含まれている場合、前記コマンド生成部は、前記所有者に関連付けられた入力端子を特定する、請求項２に記載の操作支援装置。
【請求項４】
前記管理テーブルは、端末にログオンしている人物を示す第２識別子と、前記表示機器が備える入力端子とを関連付け、
前記第２識別子を示すキーワードが前記テキスト情報に含まれている場合、前記コマンド生成部は、前記ログオンしている人物に対応する前記端末が接続している入力端子を特定する、請求項２又は請求項３に記載の操作支援装置。
【請求項５】
表示機器と、前記表示機器の操作を支援する操作支援装置とを備えた操作支援システムであって、
前記操作支援装置は、
音声データをテキスト情報に変換する音声認識部と、
前記表示機器が備える入力端子のうちの少なくとも１つを活性化させる切替コマンドを生成するコマンド生成部と
を備え、
前記コマンド生成部は、
人物を示すキーワードが前記テキスト情報に含まれている場合、前記表示機器が備える前記入力端子のうちから、前記人物に関連付けられた入力端子を特定し、
特定した前記入力端子を活性化させる前記切替コマンドを生成し、
前記表示機器は、前記切替コマンドによって活性化された前記入力端子が受信する画像情報を表示する、操作支援システム。
【請求項６】
前記表示機器が備える入力端子に接続する機器を更に備え、
前記機器は、前記機器にユーザーがログオンすると、ログオンした前記ユーザーを示す情報を前記操作支援装置に送信する、請求項５に記載の操作支援システム。
【請求項７】
前記表示機器が備える入力端子に接続する機器を更に備え、
前記機器は、前記機器からユーザーがログアウトすると、ログアウトした前記ユーザーを示す情報を前記操作支援装置に送信する、請求項５又は請求項６に記載の操作支援システム。
【請求項８】
表示機器の操作を支援する操作支援方法であって、
音声データをテキスト情報に変換する音声認識ステップと、
前記表示機器が備える入力端子のうちの少なくとも１つを活性化させる切替コマンドを生成するコマンド生成ステップと、
前記切替コマンドによって活性化された前記入力端子が受信する画像情報を表示するステップと
を含み、
前記コマンド生成ステップは、
人物を示すキーワードが前記テキスト情報に含まれている場合、前記表示機器が備える前記入力端子のうちから、前記人物に関連付けられた入力端子を特定するステップと、
特定した前記入力端子を活性化させる前記切替コマンドを生成するステップと
を含む、操作支援方法。
【発明の詳細な説明】
【技術分野】
【０００１】
本発明は、ユーザーによる表示機器の操作を支援する操作支援装置、操作支援システム、及び操作支援方法に関する。
【背景技術】
【０００２】
音声認識技術を利用してユーザーによる操作を支援する放送受信装置が特許文献１に開示されている。特許文献１に開示された放送受信装置は、ユーザー音声に対応する外部入力装置が接続されている外部入力端子を活性化させて、ユーザー音声に対応する外部入力装置から受信する映像を表示する。具体的には、特許文献１に開示された放送受信装置は、外部入力端子と、呼出し語設定部と、保存部と、音声認識部と、制御部と、ディスプレー部とを備える。また、放送受信装置は、サーバーと通信可能に接続する。
【０００３】
外部入力端子には、外部入力装置が接続される。呼出し語設定部は、外部入力装置の呼出し語を設定する。保存部は、呼出し語と、呼出し語に対応する外部入力装置が接続される外部入力端子とをマッチングして保存する。音声認識部は、ユーザー音声をデジタル信号に変換して、サーバーに送信する。サーバーは、デジタル信号に基づいて、ユーザー音声に対応するテキスト情報を生成する。
【０００４】
制御部は、サーバーから受信したテキスト情報に基づいて、ユーザー音声に呼出し語が含まれているか否かを判断し、ユーザー音声に呼出し語が含まれている場合、呼出し語に対応する外部入力端子を活性化させ、呼出し語に対応する外部入力端子が受信する映像を表示するようにディスプレー部を制御する。特許文献１に開示されている呼出し語は、例えばビデオ、ＤＶＤ、ブルーレイである。
【先行技術文献】
【特許文献】
【０００５】
【特許文献１】特開２０１４−０２１４９３号公報
【発明の概要】
【発明が解決しようとする課題】
【０００６】
しかしながら、特許文献１に開示された放送受信装置では、外部入力装置の所有者のような人物を示すキーワードをユーザーが発声しても、表示する映像が切り替わらない。
【０００７】
本発明は上記課題に鑑みてなされたものであり、その目的は、表示機器が表示する画像情報を、人物を示すキーワードに応じて切り替えることができる操作支援装置、操作支援システム、及び操作支援方法を提供することにある。
【課題を解決するための手段】
【０００８】
本発明の操作支援装置は、表示機器の操作を支援する。前記操作支援装置は、音声認識部と、コマンド生成部とを備える。前記音声認識部は、音声データをテキスト情報に変換する。前記コマンド生成部は、前記表示機器が備える入力端子のうちの少なくとも１つを活性化させる切替コマンドを生成する。前記コマンド生成部は、人物を示すキーワードが前記テキスト情報に含まれている場合、前記表示機器が備える前記入力端子のうちから、前記人物に関連付けられた入力端子を特定する。前記コマンド生成部は、特定した前記入力端子を活性化させる前記切替コマンドを生成する。
【０００９】
本発明の操作支援システムは、表示機器と、前記表示機器の操作を支援する操作支援装置とを備える。前記操作支援装置は、音声認識部と、コマンド生成部とを備える。前記音声認識部は、音声データをテキスト情報に変換する。前記コマンド生成部は、前記表示機器が備える入力端子のうちの少なくとも１つを活性化させる切替コマンドを生成する。前記コマンド生成部は、人物を示すキーワードが前記テキスト情報に含まれている場合、前記表示機器が備える前記入力端子のうちから、前記人物に関連付けられた入力端子を特定する。前記コマンド生成部は、特定した前記入力端子を活性化させる前記切替コマンドを生成する。前記表示機器は、前記切替コマンドによって活性化された前記入力端子が受信する画像情報を表示する。
【００１０】
本発明の操作支援方法は、表示機器の操作を支援する方法である。前記操作支援方法は、音声データをテキスト情報に変換する音声認識ステップと、前記表示機器が備える入力端子のうちの少なくとも１つを活性化させる切替コマンドを生成するコマンド生成ステップと、前記切替コマンドによって活性化された前記入力端子が受信する画像情報を表示するステップとを含む。前記コマンド生成ステップは、人物を示すキーワードが前記テキスト情報に含まれている場合、前記表示機器が備える前記入力端子のうちから、前記人物に関連付けられた入力端子を特定するステップと、特定した前記入力端子を活性化させる前記切替コマンドを生成するステップとを含む。
【発明の効果】
【００１１】
本発明によれば、表示機器が表示する画像情報を、人物を示すキーワードに応じて切り替えることができる。
【図面の簡単な説明】
【００１２】
【図１】本発明の実施形態に係る会議システムを示す図である。
【図２】本発明の実施形態に係る会議支援サーバーの構成を示す図である。
【図３】本発明の実施形態に係る第１端末機器の構成を示す図である。
【図４】本発明の実施形態に係る第２端末機器の構成を示す図である。
【図５】本発明の実施形態に係るマイク／スピーカ装置の構成を示す図である。
【図６】本発明の実施形態に係る表示機器の構成を示す図である。
【図７】本発明の実施形態に係る登録画面を示す図である。
【図８】本発明の実施形態に係る管理テーブルを示す図である。
【図９】本発明の実施形態に係る第１キーワード群を示す図である。
【図１０】本発明の実施形態に係る第２キーワード群を示す図である。
【図１１】本発明の実施形態に係る第１登録処理を示す図である。
【図１２】本発明の実施形態に係る第２登録処理を示す図である。
【図１３】本発明の実施形態に係る削除処理を示す図である。
【図１４】本発明の実施形態に係る表示切替処理を示す図である。
【図１５】本発明の実施形態に係る表示切替処理を示す図である。
【図１６】本発明の実施形態に係る表示画面設定処理を示す図である。
【図１７】本発明の他の実施形態に係る表示画面設定処理を示す図である。
【発明を実施するための形態】
【００１３】
以下、図面を参照して本発明の実施形態を説明する。ただし、本発明は以下の実施形態に限定されない。図中、同一又は相当部分については同一の参照符号を付して説明を繰り返さない。また、説明が重複する箇所については、適宜説明を省略する場合がある。
【００１４】
図１は、本実施形態に係る会議システム１を示す図である。会議システム１は、会議に使用される。会議システム１は、操作支援システムの一例である。図１に示すように、会議システム１は、会議支援サーバー２、アクセスポイント３、第１端末機器４〜第３端末機器６、マイク／スピーカ装置７、及び表示機器８を備える。
【００１５】
本実施形態において、会議支援サーバー２は、操作支援装置の一例であり、表示機器８の操作を支援する。具体的には、会議支援サーバー２は、ユーザーが発声した音声に所定のキーワードが含まれる場合、ユーザーが発声した音声に応じて表示機器８の表示画面を切り替える。なお、以下の説明において、ユーザーが発声した音声を、「ユーザー音声」と記載する場合がある。
【００１６】
アクセスポイント３は、インターネット回線９とＬＡＮ（Ｌｏｃａｌ  Ａｒｅａ  Ｎｅｔｗｏｒｋ）ケーブル１０とを接続する。ＬＡＮケーブル１０には、第１端末機器４〜第３端末機器６、及び表示機器８が接続する。会議支援サーバー２は、インターネット回線９、アクセスポイント３、及びＬＡＮケーブル１０を介して、第１端末機器４〜第３端末機器６との間で通信を行う。
【００１７】
アクセスポイント３は、無線ＬＡＮを介してマイク／スピーカ装置７と接続する。会議支援サーバー２は、インターネット回線９、アクセスポイント３、及び無線ＬＡＮを介して、マイク／スピーカ装置７との間で通信を行う。
【００１８】
なお、アクセスポイント３は、無線ＬＡＮを介して第１端末機器４〜第３端末機器６と接続してもよいし、ＬＡＮケーブルを介してマイク／スピーカ装置７と接続してもよい。
【００１９】
第１端末機器４〜第３端末機器６は、表示機器８に接続されて、表示機器８に画像情報を出力する。第１端末機器４は、ＬＡＮケーブル１０を介して表示機器８との間で通信を行う。なお、第１端末機器４は、無線ＬＡＮを介して表示機器８との間で通信を行ってもよい。
【００２０】
第１端末機器４は、画像情報を出力できる限り、特に限定されない。本実施形態において、第１端末機器４は、会議室ＰＣ（パーソナルコンピューター）である。会議室ＰＣには、汎用のパーソナルコンピューターを用いることができる。
【００２１】
第２端末機器５及び第３端末機器６は、画像情報を出力できる限り、特に限定されない。第２端末機器５及び第３端末機器６は、例えば、インターネット回線９を介して外部のサーバーから取得した映像情報を出力する機器であり得る。あるいは、第２端末機器５及び第３端末機器６は、汎用のパーソナルコンピューター、ビデオカメラ、ＤＶＤ再生装置、又はブルーレイ再生装置であり得る。本実施形態において、第２端末機器５及び第３端末機器６は、ゲストＰＣである。
【００２２】
マイク／スピーカ装置７は、集音装置の一例であり、ユーザーが発声した音声を集音し、集音した音声を音声データ（デジタルデータ）に変換して、会議支援サーバー２へ送信する。また、マイク／スピーカ装置７は、会議支援サーバー２から受信した音声データ（デジタルデータ）に基づいて音声を出力する。
【００２３】
表示機器８は、画像情報を表示する。具体的には、表示機器８は、第１入力端子８１〜第３入力端子８３を備える。第１入力端子８１〜第３入力端子８３には、画像情報を出力できる機器が接続される。第１入力端子８１〜第３入力端子８３は、例えば、Ｄ−ＳＵＢ端子、ＨＤＭＩ（登録商標）端子、又はＤｉｓｐｌａｙｐｏｒｔである。
【００２４】
本実施形態において、第１入力端子８１には第１端末機器４が接続される。第２入力端子８２には第２端末機器５が接続される。第３入力端子８３には第３端末機器６が接続される。表示機器８は、第１入力端子８１〜第３入力端子８３のうちの少なくとも１つを活性化させ、活性化した入力端子が受信した画像情報を表示する。例えば、第１入力端子８１を活性化させた場合、表示機器８は、第１入力端子８１が第１端末機器４から受信する画像情報を表示する。
【００２５】
続いて図１及び図２を参照して、会議支援サーバー２の構成を説明する。図２は、会議支援サーバー２の構成を示す図である。図２に示すように、会議支援サーバー２は、通信部２１、音声認識部２２、記憶部２３、及び制御部２４を備える。
【００２６】
通信部２１は、インターネット回線９（図１）に接続する。例えば、通信部２１は、ＬＡＮボード又はＬＡＮモジュールを備える。通信部２１は、第１端末機器４〜第３端末機器６（図１）及びマイク／スピーカ装置７（図１）との間の通信を制御する。
【００２７】
音声認識部２２は、マイク／スピーカ装置７（図１）から受信した音声データを音声認識技術によりテキスト情報（以下、「認識結果テキスト」と記載する場合がある。）に変換する。音声認識部２２は、例えば、音声認識ＬＳＩ（Ｌａｒｇｅ  Ｓｃａｌｅ  Ｉｎｔｅｇｒａｔｉｏｎ）を備える。
【００２８】
記憶部２３は、例えばＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）のような半導体メモリーを備える。更に、記憶部２３は、ＨＤＤ（Ｈａｒｄ  Ｄｉｓｋ  Ｄｒｉｖｅ）のようなストレージデバイスを備える。記憶部２３は、制御部２４が実行する制御プログラムを記憶する。本実施形態の記憶部２３は、更に、管理テーブル２３１と、第１キーワード群２３２と、第２キーワード群２３３とを記憶する。
【００２９】
管理テーブル２３１は、表示機器８の第１入力端子８１〜第３入力端子８３（図１）と、人物とを関連付ける。本実施形態において、人物は、第１端末機器４〜第３端末機器６（図１）のそれぞれの所有者と、第１端末機器４〜第３端末機器６（図１）のそれぞれにログオンしているログオンユーザーとを含む。より具体的には、各所有者を示す識別子と、各ログオンユーザーを示す識別子とが管理テーブル２３１に登録される。
【００３０】
第１キーワード群２３２は、各所有者を示すキーワードを含む。第２キーワード群２３３は、各ログオンユーザーを示すキーワードを含む。本実施形態において、第１キーワード群２３２は、各所有者の識別子を示すキーワードを含む。第２キーワード群２３３は、各ログオンユーザーの識別子を示すキーワードを含む。
【００３１】
所有者の識別子は、所有者を識別できる限り、特に限定されない。例えば、所有者の識別子は、所有者の氏名、姓名、名前、又は任意に設定された所有者のニックネームであり得る。同様に、ログオンユーザーの識別子は、ログオンユーザーを識別できる限り、特に限定されない。例えば、ログオンユーザーの識別子は、ログオンユーザーの氏名、姓名、名前、又は任意に設定されたログオンユーザーのニックネームであり得る。
【００３２】
制御部２４は、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のようなプロセッサを備える。また、制御部２４（コンピューター）は、記憶部２３に記憶された制御プログラム（コンピュータープログラム）に基づいて、会議支援サーバー２の動作を制御する。本実施形態において、制御部２４は、制御プログラムを実行することにより、判定部２５及びコマンド生成部２６として機能する。
【００３３】
判定部２５は、第１キーワード群２３２及び第２キーワード群２３３を参照して、認識結果テキストに含まれるキーワードを判定する。判定部２５が、認識結果テキストに含まれるキーワードを判定できた場合、コマンド生成部２６は、判定部２５によって判定されたキーワードに対応する切替コマンドを生成する。コマンド生成部２６は、切替コマンドを生成すると、通信部２１を介して、生成した切替コマンドを第１端末機器４（図１）に送信する。切替コマンドは、表示機器８の第１入力端子８１〜第３入力端子８３（図１）のうちの少なくとも１つを活性化させる命令を示す。
【００３４】
詳しくは、認識結果テキストが、所有者の識別子又はログオンユーザーの識別子を示すキーワードを含む場合、コマンド生成部２６は、管理テーブル２３１を参照して、表示機器８の第１入力端子８１〜第３入力端子８３（図１）のうちから、認識結果テキストに含まれるキーワードに対応する入力端子を特定する。具体的には、コマンド生成部２６は、認識結果テキストが示す所有者の識別子又はログオンユーザーの識別子に関連付けられた入力端子を特定する。コマンド生成部２６は、入力端子を特定すると、特定した入力端子を活性化させる切替コマンドを生成する。例えば、認識結果テキストが、第１端末機器４（図１）の所有者又は第１端末機器４（図１）にログオンしているユーザーに対応する識別子を示す場合、コマンド生成部２６は、第１入力端子８１（図１）を活性化させる切替コマンドを生成する。
【００３５】
一方、判定部２５が、認識結果テキストに含まれるキーワードを判定できなかった場合、制御部２４は、音声データ出力処理を実行する。具体的には、制御部２４は、通信部２１を介してマイク／スピーカ装置７に所定の音声データを送信する。所定の音声データは、記憶部２３に予め記憶されている。所定の音声データは、ユーザーに再度発声してもらうためのメッセージを示す。例えば、メッセージの内容は、「もう一度話して下さい」である。
【００３６】
以上、図１及び図２を参照して、会議支援サーバー２について説明した。なお、図２に示す会議支援サーバー２は音声認識部２２を備えたが、制御部２４が音声認識部２２の機能を有してもよい。この場合、音声認識部２２は省略される。
【００３７】
続いて図１及び図３を参照して、第１端末機器４（会議室ＰＣ）の構成について説明する。図３は、第１端末機器４の構成を示す図である。図３に示すように、第１端末機器４は、出力端子４１、通信部４２、操作部４３、表示部４４、記憶部４５、及び制御部４６を備える。
【００３８】
出力端子４１は、画像情報を出力する。出力端子４１は、表示機器８の第１入力端子８１（図１）に接続する。表示機器８の第１入力端子８１（図１）が活性化している場合、出力端子４１から出力された画像情報が表示機器８（図１）によって表示される。
【００３９】
通信部４２は、ＬＡＮケーブル１０（図１）に接続する。通信部４２は、例えば、ＬＡＮボード又はＬＡＮモジュールを備える。通信部４２は、会議支援サーバー２（図１）との間の通信を制御する。また、通信部４２は、表示機器８（図１）との間の通信を制御する。具体的には、通信部４２は、会議支援サーバー２（図１）から切替コマンドを受信する。また、通信部４２は、切替コマンドを表示機器８（図１）に送信する。
【００４０】
操作部４３は、ユーザーによって操作されて、ユーザーからの指示を受け付ける。操作部４３は、ユーザーの操作に応じた信号を制御部４６に出力する。この結果、第１端末機器４は、操作部４３が受け付けた操作に応じた動作を実行する。操作部４３は、例えば、ポインティングデバイスと、キーボードとを備える。なお、操作部４３は、タッチセンサを備えてもよい。タッチセンサは、表示部４４の表示面に重畳される。例えば、ユーザーは、操作部４３を操作して、第１端末機器４にログオンする。また、ユーザーは、操作部４３を操作して、第１端末機器４からログアウトする。
【００４１】
表示部４４は各種の画面を表示する。本実施形態において、表示部４４は、図６を参照して後述する登録画面６０を表示する。登録画面６０は、ユーザーインターフェイス画面であり、各種情報の登録を受け付ける。表示部４４は、例えば、液晶ディスプレー又は有機ＥＬ（ｅｌｅｃｔｒｏｌｕｍｉｎｅｓｃｅｎｃｅ）ディスプレーである。なお、タッチセンサが表示部４４の表示面に重畳される場合、表示部４４は、タッチディスプレーとして機能する。
【００４２】
記憶部４５は、例えばＲＡＭ及びＲＯＭのような半導体メモリーを備える。更に、記憶部４５は、ＨＤＤのようなストレージデバイスを備える。記憶部４５は、制御部４６が実行する制御プログラムを記憶する。本実施形態の記憶部４５は、更に、表示切替制御プログラム４５１、及びユーザー名通知プログラム４５２を記憶する。
【００４３】
表示切替制御プログラム４５１は、会議支援サーバー２（図１）から受信した切替コマンドを表示機器８（図１）に送信するためのプログラムである。ユーザー名通知プログラム４５２は、第１端末機器４にログオンしたユーザーの識別子を会議支援サーバー２（図１）に送信するためのプログラムである。
【００４４】
制御部４６は、例えばＣＰＵのようなプロセッサを備える。また、制御部４６（コンピューター）は、記憶部４５に記憶された制御プログラム（コンピュータープログラム）に基づいて、第１端末機器４の動作を制御する。
【００４５】
本実施形態において、制御部４６は、表示切替制御プログラム４５１を実行することにより、会議支援サーバー２（図１）から受信した切替コマンドを表示機器８（図１）に送信する。また、制御部４６は、ユーザー名通知プログラム４５２を実行することにより、第１端末機器４にログオンしたユーザーの識別子を示す情報を会議支援サーバー２（図１）に送信する。更に、制御部４６は、ユーザー名通知プログラム４５２を実行することにより、第１端末機器４からログアウトしたユーザーの識別子を示す情報を会議支援サーバー２（図１）に送信する。
【００４６】
なお、制御部４６は、表示部４４に表示されている画像の画像データを、出力端子４１（図１）及びＬＡＮケーブル１０（図１）を介して第１入力端子８１（図１）に送信して、表示部４４に表示されている画像を表示機器８（図１）に表示させてもよい。
【００４７】
続いて図１及び図４を参照して、第２端末機器５（ゲストＰＣ）の構成について説明する。図４は、第２端末機器５の構成を示す図である。図４に示すように、第２端末機器５は、出力端子５１、通信部５２、操作部５３、表示部５４、記憶部５５、及び制御部５６を備える。
【００４８】
出力端子５１は、画像情報を出力する。出力端子５１は、表示機器８の第２入力端子８２（図１）に接続する。表示機器８の第２入力端子８２（図１）が活性化している場合、出力端子５１から出力された画像情報が表示機器８（図１）によって表示される。
【００４９】
通信部５２は、ＬＡＮケーブル１０（図１）に接続する。通信部５２は、例えば、ＬＡＮボード又はＬＡＮモジュールを備える。通信部５２は、会議支援サーバー２（図１）との間の通信を制御する。具体的には、通信部５２は、第２端末機器５にログオンしたユーザーの識別子を示す情報を会議支援サーバー２（図１）に送信する。更に、通信部５２は、第２端末機器５からログアウトしたユーザーの識別子を示す情報を会議支援サーバー２（図１）に送信する。
【００５０】
操作部５３は、ユーザーによって操作されて、ユーザーからの指示を受け付ける。操作部５３は、ユーザーの操作に応じた信号を制御部５６に出力する。この結果、第２端末機器５は、操作部５３が受け付けた操作に応じた動作を実行する。操作部５３は、例えば、ポインティングデバイスと、キーボードとを備える。なお、操作部５３は、タッチセンサを備えてもよい。タッチセンサは、表示部５４の表示面に重畳される。例えば、ユーザーは、操作部５３を操作して、第２端末機器５にログオンする。また、ユーザーは、操作部５３を操作して、第２端末機器５からログアウトする。
【００５１】
表示部５４は各種の画面を表示する。表示部５４は、例えば、液晶ディスプレー又は有機ＥＬディスプレーである。なお、タッチセンサが表示部５４の表示面に重畳される場合、表示部５４は、タッチディスプレーとして機能する。
【００５２】
記憶部５５は、例えばＲＡＭ及びＲＯＭのような半導体メモリーを備える。更に、記憶部５５は、ＨＤＤのようなストレージデバイスを備える。記憶部５５は、制御部５６が実行する制御プログラムを記憶する。また、記憶部５５は、ユーザー名通知プログラム４５２を記憶する。
【００５３】
制御部５６は、例えばＣＰＵのようなプロセッサを備える。また、制御部５６（コンピューター）は、記憶部５５に記憶された制御プログラム（コンピュータープログラム）に基づいて、第２端末機器５の動作を制御する。
【００５４】
本実施形態において、制御部５６は、ユーザー名通知プログラム４５２を実行することにより、第２端末機器５にログオンしたユーザーの識別子を示す情報を会議支援サーバー２（図１）に送信する。更に、制御部５６は、ユーザー名通知プログラム４５２を実行することにより、第２端末機器５からログアウトしたユーザーの識別子を示す情報を会議支援サーバー２（図１）に送信する。
【００５５】
以上、第２端末機器５について説明した。なお、第３端末機器６の構成は第２端末機器５と同様であるため、その説明は割愛する。
【００５６】
続いて図１及び図５を参照して、マイク／スピーカ装置７の構成について説明する。図５は、マイク／スピーカ装置７の構成を示す図である。図５に示すように、マイク／スピーカ装置７は、通信部７１、音声入力部７２、音声出力部７３、記憶部７４、及び制御部７５を備える。
【００５７】
通信部７１は、アクセスポイント３（図１）に接続する。通信部７１は、会議支援サーバー２（図１）との間の通信を制御する。具体的には、通信部７１は、音声データを会議支援サーバー２（図１）に送信する。また、通信部７１は、会議支援サーバー２（図１）から音声データを受信する。通信部７１は、例えば、無線ＬＡＮボード又は無線ＬＡＮモジュールである。
【００５８】
音声入力部７２は、ユーザーが発声した音声を集音して、アナログ電気信号に変換する。アナログ電気信号は、制御部７５に入力される。音声入力部７２は、例えば、マイクロフォンである。音声出力部７３は、会議支援サーバー２（図１）から受信した音声データに対応する音声を出力する。音声出力部７３は、例えば、スピーカである。
【００５９】
記憶部７４は、例えばＲＡＭ及びＲＯＭのような半導体メモリーを備える。記憶部７４は更に、ＨＤＤのようなストレージデバイスを備えてもよい。記憶部７４は、制御部７５が実行する制御プログラムを記憶する。
【００６０】
制御部７５は、例えばＣＰＵ又はＭＰＵのようなプロセッサを備える。また、制御部７５（コンピューター）は、記憶部７４に記憶された制御プログラム（コンピュータープログラム）に基づいて、マイク／スピーカ装置７の動作を制御する。
【００６１】
続いて図１及び図６を参照して、表示機器８の構成について説明する。図６は、表示機器８の構成を示す図である。図６に示すように、表示機器８は、図１を参照して説明した第１入力端子８１〜第３入力端子８３に加えて、通信部８４、入力端子切替部８５、表示部８６、記憶部８７、及び制御部８８を備える。
【００６２】
通信部８４は、ＬＡＮケーブル１０（図１）に接続する。通信部８４は、例えば、ＬＡＮボード又はＬＡＮモジュールを備える。通信部８４は、第１端末機器４（図１）との間の通信を制御する。具体的には、通信部８４は、第１端末機器４（図１）から切替コマンドを受信する。
【００６３】
入力端子切替部８５は、第１入力端子８１〜第３入力端子８３のうちの少なくとも１つを活性化させる。本実施形態において、入力端子切替部８５は、切替コマンドに応じて、第１入力端子８１〜第３入力端子８３のうちのいずれか１つを活性化させる。
【００６４】
表示部８６は、第１入力端子８１〜第３入力端子８３のうち活性化した入力端子が受信する画像情報を表示する。表示部８６は、例えば、液晶ディスプレー又は有機ＥＬディスプレーである。なお、表示部８６は、タッチセンサを備え得る。換言すると、表示部８６は、タッチディスプレーであり得る。
【００６５】
記憶部８７は、例えばＲＡＭ及びＲＯＭのような半導体メモリーを備える。更に、記憶部８７は、ＨＤＤのようなストレージデバイスを備え得る。記憶部８７は、制御部８８が実行する制御プログラムを記憶する。
【００６６】
制御部８８は、例えばＣＰＵ又はＭＰＵのようなプロセッサを備える。また、制御部８８（コンピューター）は、記憶部８７に記憶された制御プログラム（コンピュータープログラム）に基づいて、表示機器８の動作を制御する。本実施形態の制御部８８は、切替コマンドに応じて、入力端子切替部８５を制御する。具体的には、制御部８８は、切替コマンドに基づいて、第１入力端子８１〜第３入力端子８３のうちのいずれかを活性化させる。
【００６７】
以上、図１〜図６を参照して本実施形態について説明した。なお、本実施形態では、会議支援サーバー２が音声認識処理を実行したが、マイク／スピーカ装置７が音声認識処理を実行して、認識結果テキストを会議支援サーバー２に送信してもよい。
【００６８】
本実施形態によれば、表示機器８が表示する画像情報を、人物を示すキーワードに応じて切り替えることができる。例えば、ユーザー音声に含まれるキーワードが、第１端末機器４の所有者の識別子を示す場合、第１入力端子８１が活性化して、第１端末機器４の表示部４４が表示している画像を表示機器８に表示させることができる。
【００６９】
また、本実施形態によれば、管理テーブル２３１を参照して切替コマンドを生成するため、切替コマンドを容易に生成することができる。
【００７０】
続いて図１〜図３、図６及び図７を参照して、登録画面６０について説明する。図７は、本実施形態に係る登録画面６０を示す図である。登録画面６０は、第１端末機器４の表示部４４（図３）に表示されるユーザーインターフェイス画面である。ユーザーは、第１端末機器４の操作部４３（図３）を操作して、登録画面６０に各種の情報を設定（登録）することができる。なお、第１端末機器４（図３）は、ユーザーインターフェイス画面の画像データを表示機器８（図６）に送信して、第１端末機器４の表示部４４（図３）に表示されているユーザーインターフェイス画面を表示機器８の表示部８６（図６）に表示させてもよい。
【００７１】
図７に示すように、本実施形態の登録画面６０は、入力端子名欄６１、接続機器名登録欄６２、及び所有者情報登録欄６３を表示する。また、登録画面６０は、保存ボタン６４及びキャンセルボタン６５を表示する。
【００７２】
入力端子名欄６１には、第１入力端子８１〜第３入力端子８３（図１）の各々の名称として事前に設定された名称（デフォルト名）が設定される。具体的には、入力端子名欄６１には、Ｄ−ＳＵＢ端子、ＨＤＭＩ（登録商標）端子、又はＤｉｓｐｌａｙｐｏｒｔ等が設定される。
【００７３】
接続機器名登録欄６２には、第１入力端子８１〜第３入力端子８３（図１）の各々に接続される機器の名称（機器名）が設定される。機器名は、ユーザーが任意に決定する。本実施形態では、第１端末機器４〜第３端末機器６（図１）の名称が設定される。
【００７４】
所有者情報登録欄６３には、第１入力端子８１〜第３入力端子８３（図１）の各々に接続される機器の所有者を示す識別子が設定される。本実施形態において、所有者情報登録欄６３には、第１端末機器４〜第３端末機器６（図１）のそれぞれの所有者を示す識別子が設定される。
【００７５】
保存ボタン６４は、登録画面６０に設定された情報を保存するためのボタンであり、ユーザーが操作部４３（図３）を操作して保存ボタン６４を押下する指示を入力すると、登録画面６０に設定された情報が保存されて、会議支援サーバー２の制御部２４（図２）が、管理テーブル２３１（図２）を作成する。
【００７６】
キャンセルボタン６５は、登録画面６０を用いた情報登録処理をキャンセルするためのボタンであり、ユーザーが操作部４３（図３）を操作してキャンセルボタン６５を押下する指示を入力すると、登録画面６０に設定された情報が保存されることなく、登録画面６０が閉じる。
【００７７】
続いて図１、図２、図７及び図８を参照して、管理テーブル２３１について説明する。図８は、本実施形態に係る管理テーブル２３１を示す図である。図８に示すように、管理テーブル２３１は、表示機器ＩＤ欄７０１、第１タグ欄７０２、第２タグ欄７０３、所有者情報欄７０４、及びログオンユーザー情報欄７０５を有する。
【００７８】
表示機器ＩＤ欄７０１には、表示機器８（図１）の識別番号（デフォルト値）が設定される。表示機器８（図１）の識別番号は、予め設定される。
【００７９】
第１タグ欄７０２には、第１入力端子８１〜第３入力端子８３（図１）の第１タグが設定される。第１入力端子８１〜第３入力端子８３（図１）の第１タグには、第１入力端子８１〜第３入力端子８３（図１）の各々の名称として事前に設定された名称（デフォルト名）が用いられる。詳しくは、第１タグ欄７０２には、図７を参照して説明した入力端子名欄６１に設定された名称が反映される。具体的には、会議支援サーバー２の制御部２４（図２）が、図７を参照して説明した入力端子名欄６１に設定された情報に基づいて、第１タグ欄７０２を作成する。
【００８０】
第２タグ欄７０３には、第１入力端子８１〜第３入力端子８３（図１）の第２タグが設定される。第１入力端子８１〜第３入力端子８３（図１）の第２タグには、第１入力端子８１〜第３入力端子８３（図１）の各々に接続される機器（第１端末機器４〜第３端末機器６）の名称（機器名）が設定される。詳しくは、第２タグ欄７０３には、図７を参照して説明した接続機器名登録欄６２に設定された名称が反映される。具体的には、会議支援サーバー２の制御部２４（図２）が、図７を参照して説明した接続機器名登録欄６２に設定された情報に基づいて、第２タグ欄７０３を作成する。
【００８１】
所有者情報欄７０４には、第１入力端子８１〜第３入力端子８３（図１）の各々に接続される機器（第１端末機器４〜第３端末機器６）の所有者を示す識別子が設定される。詳しくは、所有者情報欄７０４には、図７を参照して説明した所有者情報登録欄６３に設定された識別子が反映される。具体的には、会議支援サーバー２の制御部２４（図２）が、図７を参照して説明した所有者情報登録欄６３に設定された情報に基づいて、所有者情報欄７０４を作成する。
【００８２】
ログオンユーザー情報欄７０５には、第１入力端子８１〜第３入力端子８３（図１）の各々に接続される機器（第１端末機器４〜第３端末機器６）にログオンしたユーザーの識別子が設定される。会議支援サーバー２の制御部２４（図２）が、第１端末機器４〜第３端末機器６（図１）から受信するログオンユーザーの識別子を示す情報、及び第１端末機器４〜第３端末機器６（図１）から受信するログアウトユーザーの識別子を示す情報に基づいて、ログオンユーザー情報欄７０５を作成する。なお、ユーザーがログオンしていない場合、ログオンユーザー情報欄７０５には「Ｎｕｌｌ」が設定される。
【００８３】
続いて図１、図２、図８及び図９を参照して、第１キーワード群２３２について説明する。図９は、本実施形態に係る第１キーワード群２３２を示す図である。本実施形態において、第１キーワード群２３２は、第１入力端子８１〜第３入力端子８３（図１）に接続する第１端末機器４〜第３端末機器６（図１）の所有者を示す識別子を含む。具体的には、会議支援サーバー２の制御部２４（図２）が、図８を参照して説明した所有者情報欄７０４に設定された情報に基づいて、第１キーワード群２３２を作成する。
【００８４】
続いて図１、図２、図８及び図１０を参照して、第２キーワード群２３３について説明する。図１０は、本実施形態に係る第２キーワード群２３３を示す図である。本実施形態において、第２キーワード群２３３は、第１入力端子８１〜第３入力端子８３（図１）に接続する第１端末機器４〜第３端末機器６（図１）にログオンしたユーザーを示す識別子を含む。具体的には、会議支援サーバー２の制御部２４（図２）が、図８を参照して説明したログオンユーザー情報欄７０５に設定された情報に基づいて、第２キーワード群２３３を作成する。
【００８５】
続いて図１〜図１６を参照して、会議システム１が実行する処理（動作）について説明する。まず、図１〜図３、図７〜図９、及び図１１を参照して、第１登録処理について説明する。第１登録処理は、図７を参照して説明した登録画面６０を用いて各種の情報を登録する処理である。図１１は、本実施形態に係る第１登録処理を示す図である。
【００８６】
ユーザーが、第１端末機器４の操作部４３を操作して、第１端末機器４の表示部４４に登録画面６０を表示させる指示を入力すると、図１１に示す第１登録処理が開始する。
【００８７】
図１１に示すように、ユーザーが登録画面６０を表示させる指示を入力すると、第１端末機器４の制御部４６は、第１端末機器４の表示部４４に登録画面６０を表示させる（ステップＳ１）。
【００８８】
第１端末機器４の制御部４６は、第１端末機器４の表示部４４に登録画面６０を表示させると、登録画面６０の保存ボタン６４及びキャンセルボタン６５のうちのいずれのボタンが押下されたのかを判定する（ステップＳ２）。
【００８９】
ユーザーが、第１端末機器４の操作部４３を操作して、保存ボタン６４を押下すると（ステップＳ２；保存）、第１端末機器４の制御部４６は、登録画面６０に設定された各種の情報を会議支援サーバー２へ送信して（ステップＳ３）、処理を終了する。また、ユーザーが、第１端末機器４の操作部４３を操作して、キャンセルボタン６５を押下すると（ステップＳ２；キャンセル）、第１端末機器４の制御部４６は、登録画面６０に設定された各種の情報を会議支援サーバー２へ送信することなく、処理を終了する。
【００９０】
会議支援サーバー２の制御部２４は、第１端末機器４から受信した情報を、管理テーブル２３１に登録する（ステップＳ４）。会議支援サーバー２の制御部２４は、管理テーブル２３１を参照して、第１キーワード群２３２を作成すると、処理を終了する。
【００９１】
続いて図１〜図３、図８、図１０及び図１２を参照して、第２登録処理について説明する。第２登録処理は、ログオンユーザーの識別子を登録する処理である。図１２は、本実施形態に係る第２登録処理を示す図である。詳しくは、図１２は、第１端末機器４にログオンしたユーザーの識別子を登録する処理を示す。
【００９２】
図１２に示すように、ユーザーが第１端末機器４の操作部４３を操作して第１端末機器４にログオンすると、第１端末機器４の制御部４６は、ログオンユーザーの識別子を示す情報を会議支援サーバー２へ送信して（ステップＳ１１）、処理を終了する。
【００９３】
会議支援サーバー２の制御部２４は、第１端末機器４から受信した情報に基づいて、管理テーブル２３１のログオンユーザー情報欄７０５にログオンユーザーの識別子を登録する（ステップＳ１２）。会議支援サーバー２の制御部２４は、管理テーブル２３１を参照して、第２キーワード群２３３を作成するか、又は第２キーワード群２３３を更新すると、処理を終了する。
【００９４】
以上、図１〜図３、図８、図１０及び図１２を参照して、第２登録処理について説明した。なお、第２端末機器５又は第３端末機器６にユーザーがログオンした場合も、図１２に示す処理と同様に第２登録処理が実行される。
【００９５】
続いて図１〜図３、図８、図１０及び図１３を参照して、削除処理について説明する。削除処理は、ログオンユーザーの識別子を削除する処理である。図１３は、本実施形態に係る削除処理を示す図である。詳しくは、図１３は、第１端末機器４からログアウトしたユーザーの識別子を削除する処理を示す。
【００９６】
図１３に示すように、ユーザーが第１端末機器４の操作部４３を操作して第１端末機器４からログアウトすると、第１端末機器４の制御部４６は、ログアウトユーザーの識別子を示す情報を会議支援サーバー２へ送信して（ステップＳ２１）、処理を終了する。
【００９７】
会議支援サーバー２の制御部２４は、第１端末機器４から受信した情報に基づいて、管理テーブル２３１のログオンユーザー情報欄７０５から、ログアウトユーザーに対応するログオンユーザーの識別子を削除する（ステップＳ２２）。会議支援サーバー２の制御部２４は、管理テーブル２３１を参照して、第２キーワード群２３３から、ログアウトユーザーに対応するキーワードを削除すると、処理を終了する。
【００９８】
以上、図１〜図３、図８、図１０及び図１３を参照して、削除処理について説明した。なお、第２端末機器５又は第３端末機器６からユーザーがログアウトした場合も、図１３に示す処理と同様に削除処理が実行される。
【００９９】
続いて図１〜図３、図５〜図１０、及び図１４〜図１６を参照して、会議システム１が実行する表示切替処理について説明する。表示切替処理は、表示機器８の表示画面を切り替える処理である。
【０１００】
まず図１、図２、図５、及び図１４を参照して、会議支援サーバー２及びマイク／スピーカ装置７が実行する処理について説明する。図１４は、本実施形態に係る表示切替処理を示す図であり、詳しくは、会議支援サーバー２及びマイク／スピーカ装置７が実行する処理を示す。
【０１０１】
表示切替処理は、ユーザーが音声を発声することにより開始する。図１４に示すように、ユーザーが音声を発声すると、マイク／スピーカ装置７が、ユーザー音声を集音し（ステップＳ３１）、ユーザー音声に対応する音声データを会議支援サーバー２へ送信する（ステップＳ３２）。
【０１０２】
会議支援サーバー２が、マイク／スピーカ装置７から音声データを受信すると（ステップＳ４１）、会議支援サーバー２の音声認識部２２が音声データをテキスト情報に変換する。この結果、会議支援サーバー２の制御部２４が、認識結果テキストを取得する（ステップＳ４２）。
【０１０３】
会議支援サーバー２の制御部２４は、認識結果テキストを取得すると、表示画面設定処理を実行する（ステップＳ４３）。具体的には、図２を参照して説明した切替コマンドを生成する処理を実行する。表示画面設定処理については、図１６を参照して後述する。
【０１０４】
会議支援サーバー２の制御部２４は、表示画面設定処理の実行後、表示画面の設定に失敗したか否かを判定する（ステップＳ４４）。会議支援サーバー２の制御部２４は、表示画面の設定に失敗しなかったと判定した場合（ステップＳ４４；Ｎｏ）、切替コマンドを第１端末機器４へ送信して（ステップＳ４５）、図１４に示す処理を終了する。
【０１０５】
一方、会議支援サーバー２の制御部２４は、表示画面の設定に失敗したと判定した場合（ステップＳ４４；Ｙｅｓ）、図２を参照して説明した音声データ出力処理を実行する。具体的には、会議支援サーバー２の制御部２４は、ユーザーに再度発声してもらうためのメッセージを示す音声データを、マイク／スピーカ装置７に送信する（ステップＳ４６）。会議支援サーバー２の制御部２４は、音声データ出力処理を実行すると、図１４に示す処理を終了する。
【０１０６】
マイク／スピーカ装置７は、音声データを送信した後、会議支援サーバー２から音声データを受信したか否かを判定する（ステップＳ３３）。マイク／スピーカ装置７は、会議支援サーバー２から音声データを受信しなかった場合（ステップＳ３３；Ｎｏ）、図１４に示す処理を終了する。
【０１０７】
一方、マイク／スピーカ装置７は、会議支援サーバー２から音声データを受信した場合（ステップＳ３３；Ｙｅｓ）、会議支援サーバー２から受信した音声データに対応する音声を出力して（ステップＳ３４）、図１４に示す処理を終了する。したがって、ユーザーは、再度、表示画面を所望の画面に切り替える指示を音声によって行うことができる。
【０１０８】
続いて図１、図３、図６、及び図１５を参照して、第１端末機器４（会議室ＰＣ）及び表示機器８が実行する処理について説明する。図１５は、本実施形態に係る表示切替処理を示す図であり、詳しくは、第１端末機器４（会議室ＰＣ）及び表示機器８が実行する処理を示す。
【０１０９】
図１５に示すように、第１端末機器４の制御部４６は、会議支援サーバー２から切替コマンドを受信すると（ステップＳ５１）、受信した切替コマンドを表示機器８へ送信する（ステップＳ５２）。
【０１１０】
表示機器８の制御部８８は、第１端末機器４から切替コマンドを受信すると（ステップＳ６１）、切替コマンドに従って切替処理を実行する（ステップＳ６２）。具体的には、表示機器８の制御部８８は、切替コマンドに従って、第１入力端子８１〜第３入力端子８３のうちの少なくとも１つの入力端子を活性化させる。
【０１１１】
表示機器８の制御部８８は、切替処理を実行した後、応答信号を第１端末機器４へ送信して（ステップＳ６３）、図１５に示す処理を終了する。応答信号は、切替処理が完了したことを示す。第１端末機器４の制御部４６は、表示機器８から応答信号を受信すると（ステップＳ５３）、図１５に示す処理を終了する。
【０１１２】
続いて図１、図２、図７〜図１０、及び図１６を参照して、表示画面設定処理（図１４のステップＳ４３）について説明する。図１６は、本実施形態に係る表示画面設定処理を示す図である。
【０１１３】
図１６に示すように、会議支援サーバー２の制御部２４は、認識結果テキストを取得すると、認識結果テキストが第１キーワード群２３２のキーワードを含むか否かを判定する（ステップＳ４３１）。詳しくは、第１端末機器４〜第３端末機器６のいずれかの所有者の識別子を示すキーワードを含むか否かを判定する。本実施形態において、会議支援サーバー２の制御部２４は、認識結果テキストが、キーワード「○○○○」、キーワード「□□□□」、及びキーワード「△△△△」のいずれかを含むか否かを判定する（図９）。
【０１１４】
会議支援サーバー２の制御部２４は、認識結果テキストが第１キーワード群２３２のキーワードを含むと判定した場合（ステップＳ４３１；Ｙｅｓ）、管理テーブル２３１を参照して、切替コマンドを生成する（ステップＳ４３２）。例えば、認識結果テキストがキーワード「○○○○」を含む場合、会議支援サーバー２の制御部２４は、所有者情報欄７０４の各行のうちから、キーワード「○○○○」に対応する識別子「○○○○」が設定された行を探索する（図８）。次に、会議支援サーバー２の制御部２４は、探索した行に設定されている入力端子「第１入力端子」を、第１タグ欄７０２から探索する（図８）。そして、会議支援サーバー２の制御部２４は、第１入力端子８１を活性化させる切替コマンドを生成する。会議支援サーバー２の制御部２４は、切替コマンドを生成すると、図１４の処理に戻る。
【０１１５】
会議支援サーバー２の制御部２４は、認識結果テキストが第１キーワード群２３２のキーワードを含まないと判定した場合（ステップＳ４３１；Ｎｏ）、認識結果テキストが第２キーワード群２３３のキーワードを含むか否かを判定する（ステップＳ４３３）。詳しくは、第１端末機器４〜第３端末機器６のいずれかのログオンユーザーの識別子を示すキーワードを含むか否かを判定する。本実施形態において、会議支援サーバー２の制御部２４は、認識結果テキストが、キーワード「ＸＸＸＸ」、又はキーワード「ＹＹＹＹ」を含むか否かを判定する（図１０）。
【０１１６】
会議支援サーバー２の制御部２４は、認識結果テキストが第２キーワード群２３３のキーワードを含むと判定した場合（ステップＳ４３３；Ｙｅｓ）、管理テーブル２３１を参照して、切替コマンドを生成する（ステップＳ４３２）。例えば、認識結果テキストがキーワード「ＸＸＸＸ」を含む場合、会議支援サーバー２の制御部２４は、ログオンユーザー情報欄７０５の各行のうちから、キーワード「ＸＸＸＸ」に対応する識別子「ＸＸＸＸ」が設定された行を探索する（図８）。次に、会議支援サーバー２の制御部２４は、探索した行に設定されている入力端子「第１入力端子」を、第１タグ欄７０２から探索する（図８）。そして、会議支援サーバー２の制御部２４は、第１入力端子８１を活性化させる切替コマンドを生成する。会議支援サーバー２の制御部２４は、切替コマンドを生成すると、図１４の処理に戻る。
【０１１７】
会議支援サーバー２の制御部２４は、認識結果テキストが第２キーワード群２３３のキーワードを含まないと判定した場合（ステップＳ４３３；Ｎｏ）、表示画面の設定に失敗したことを示すフラグを設定して（ステップＳ４３４）、図１４に示す処理に戻る。
【０１１８】
以上、図１、図２、図７〜図１０、及び図１６を参照して、表示画面設定処理について説明した。なお、図１６に示す表示画面設定処理を実行する場合、第１端末機器４〜第３端末機器６に対して互いに異なる所有者の識別子を設定する必要がある。
【０１１９】
続いて図１７を参照して、表示画面設定処理の他例について説明する。図１７は、他の実施形態に係る表示画面設定処理を示す図である。図１７に示す表示画面設定処理は、図１６に示す表示画面設定処理と比べて、ステップＳ４３１及びステップＳ４３３の処理の順序が入れ替えられている。すなわち、図１７に示す表示画面設定処理において、会議支援サーバー２の制御部２４は、認識結果テキストが第２キーワード群２３３のキーワードを含むか否かを判定した後に（ステップＳ４３３）、認識結果テキストが第１キーワード群２３２のキーワードを含むか否かを判定する（ステップＳ４３１）。
【０１２０】
図１７に示す表示画面設定処理によれば、第１端末機器４〜第３端末機器６のうちの２台以上に同じ所有者の識別子が設定されている場合であっても、適切に表示切替を実行することができる。
【０１２１】
具体的には、共用のＰＣである会議室ＰＣ（第１端末機器４）に所有者として設定されている人物Ｘが、会議参加者としてＰＣ（第２端末機器５又は第３端末機器６）を会議に持参する場合がある。この場合、会議室ＰＣに設定されている所有者の識別子と、持参ＰＣに設定されている所有者の識別子とが一致する可能性がある。また、人物Ｘが会議室ＰＣにログオンする際に使用するログオンユーザーの識別子と、人物Ｘが持参ＰＣにログオンする際に使用するログオンユーザーの識別子とが一致する可能性もある。このような場合であっても、図１７に示す表示画面設定処理によれば、人物Ｘが会議室ＰＣ及び持参ＰＣのうちの１台にのみログオンすることにより、人物ＸがログオンしているＰＣに表示されている画面を表示機器８に表示させることができる。例えば、表示機器８に表示させることが必要なデータファイルを記憶しているＰＣにのみ人物Ｘがログオンし、他のＰＣから人物Ｘがログアウトすることにより、人物ＸがログオンしているＰＣに表示されている画面を表示機器８に表示させることができる。あるいは、Ｗｉｎｄｏｗｓ（登録商標）による同時ログオンセッションの制限を可能にするアドオンツールのようなシステムツールにより、人物Ｘが複数のＰＣに同時にログオンすることを制限してもよい。
【０１２２】
以上、本発明の実施形態について図面を参照しながら説明した。但し、本発明は、上記の実施形態に限られるものではなく、その要旨を逸脱しない範囲で種々の態様において実施することが可能である。
【０１２３】
例えば、表示機器８は、ユーザー音声に基づいて活性化させた入力端子をユーザーに通知する画像を表示してもよい。活性化させた入力端子をユーザーに通知する画像は、例えば、活性化させた入力端子の名称（Ｄ−ＳＵＢ端子、ＨＤＭＩ（登録商標）端子、及びＤｉｓｐｌａｙｐｏｒｔ等）を示す。もしくは、表示機器８は、ユーザー音声に基づいて活性化させた入力端子に接続されている端末機器をユーザーに通知する画像を表示してもよい。活性化させた入力端子に接続されている端末機器をユーザーに通知する画像は、例えば、端末機器の名称（第１端末、第２端末等）を示す。
【０１２４】
また、本発明の実施形態では、会議システム１を説明したが、本発明が適用されるシステムは、表示機器を備えるシステムである限り、特に限定されない。例えば、本発明は、塾又は学校で使用される講義システム、家庭で使用される表示システムに適用することができる。
【０１２５】
また、本発明の実施形態では、マイク／スピーカ装置７が使用されたが、第１端末機器４（会議室ＰＣ）又は表示機器８が、マイク／スピーカ装置７の機能を有してもよい。
【０１２６】
また、本発明の実施形態では、操作支援装置として会議支援サーバー２が使用されたが、操作支援装置として第１端末機器４（会議室ＰＣ）が使用されてもよいし、表示機器８が使用されてもよい。
【０１２７】
また、本発明の実施形態では、第１端末機器４が、会議支援サーバー２から送信された切替コマンドを表示機器８へ送信したが、会議支援サーバー２が表示機器８へ切替コマンドを送信してもよい。
【０１２８】
また、本発明の実施形態において、表示機器８は３つの入力端子（第１入力端子８１〜第３入力端子８３）を備えたが、表示機器８が備える入力端子の数は３つに限定されるものではなく、表示機器８は複数の入力端子を備えていればよい。
【０１２９】
また、本発明の実施形態では、ユーザー音声を取得するために、音声を集音する機能と音声を出力する機能とを備えた装置（マイク／スピーカ装置７）が使用されたが、音声を集音する機能と音声を出力する機能とのうちの音声を集音する機能のみを備えた装置が使用されてもよい。
【０１３０】
また、本発明の実施形態において、管理テーブル２３１は、表示機器ＩＤ欄７０１、第１タグ欄７０２、第２タグ欄７０３、所有者情報欄７０４、及びログオンユーザー情報欄７０５を有したが、第２タグ欄７０３は省略されてもよい。この場合、登録画面６０から、接続機器名登録欄６２が省略されてもよい。
【産業上の利用可能性】
【０１３１】
本発明は、会議システム、講義システム、及び授業システムのような表示機器を使用するシステムに有用である。
【符号の説明】
【０１３２】
１        会議システム
２        会議支援サーバー
４        第１端末機器
５        第２端末機器
６        第３端末機器
７        スピーカ装置
８        表示機器
２１      通信部
２２      音声認識部
２３      記憶部
２４      制御部
２５      判定部
２６      コマンド生成部
４１      出力端子
４２      通信部
４３      操作部
４４      表示部
４５      記憶部
４６      制御部
８１      第１入力端子
８２      第２入力端子
８３      第３入力端子
８４      通信部
８５      入力端子切替部
８６      表示部
８７      記憶部
８８      制御部
２３１    管理テーブル
２３２    第１キーワード群
２３３    第２キーワード群
４５１    表示切替制御プログラム
４５２    ユーザー名通知プログラム
７０２    第１タグ欄
７０４    所有者情報欄
７０５    ログオンユーザー情報欄
【図１】
2019207640.tif 000003
【図２】
2019207640.tif 000004
【図３】
2019207640.tif 000005
【図４】
2019207640.tif 000006
【図５】
2019207640.tif 000007
【図６】
2019207640.tif 000008
【図７】
2019207640.tif 000009
【図８】
2019207640.tif 000010
【図９】
2019207640.tif 000011
【図１０】
2019207640.tif 000012
【図１１】
2019207640.tif 000013
【図１２】
2019207640.tif 000014
【図１３】
2019207640.tif 000015
【図１４】
2019207640.tif 000016
【図１５】
2019207640.tif 000017
【図１６】
2019207640.tif 000018
【図１７】
2019207640.tif 000019